(57)【要約】【課題】捕獲部材から異物を払い落とす方向が光学部材のある方向であっても、その払い落とした異物が光学フィルタに再付着しないようにする。【解決手段】光学ローパスフィルタ１０２の表面に接触しながら移動することにより光学ローパスフィルタ１０２の表面に付着した異物を捕獲除去する清掃部材３０１と、清掃部材３０１が所定の位置まで移動したときに清掃部材３０１が捕獲した異物を払い落とす払拭部材３０２と、払拭部材３０が位置する空間と光学ローパスフィルタ１０２の前面の空間とを遮断する遮断位置、及び、清掃部材３０１が通過できるように遮断位置から退避する退避位置に移動する異物受け部材３０３とを備える。【選択図】図４
2009162949.tif 000002
【特許請求の範囲】
【請求項１】
光学部材の表面に接触しながら移動することにより前記光学部材の表面に付着した異物を捕獲除去する捕獲部材と、
前記捕獲部材が所定の位置まで移動したときに前記捕獲部材が捕獲した異物を払い落とす払拭部材と、
前記払拭部材が位置する空間と前記光学部材の前面の空間とを遮断することのできる遮断機構とを備えたことを特徴とする異物除去装置。
【請求項２】
前記遮断機構は、
前記払拭部材が位置する空間と前記光学部材の前面の空間とを遮断する異物受け部材と、
前記異物受け部材を前記払拭部材が位置する空間と前記光学部材の前面の空間とを遮断する遮断位置、及び、前記捕獲部材が通過できるように前記遮断位置から退避する退避位置に移動させる駆動手段とにより構成されることを特徴とする請求項１に記載の異物除去装置。
【請求項３】
前記捕獲部材の位置を検出する検出手段と、
前記検出手段により検出された前記捕獲部材の位置に応じて前記駆動手段を制御する制御手段とを更に備えたことを特徴とする請求項２に記載の異物除去装置。
【請求項４】
前記遮断機構は、前記払拭部材が位置する空間と前記光学部材の前面の空間とを遮断するとともに、前記捕獲部材が通過する際に該捕獲部材が当接して開く扉状の異物受け部材により構成されることを特徴とする請求項１に記載の異物除去装置。
【請求項５】
前記異物受け部材に捕集手段を備えたことを特徴とする請求項２〜４のいずれか１項に記載の異物除去装置。
【請求項６】
被写体像を光電変換する撮像素子と、
前記撮像素子の前方に配置された光学部材と、
請求項１〜５のいずれか１項に記載の異物除去装置とを備えたことを特徴とする撮像装置。
【発明の詳細な説明】
【技術分野】
【０００１】
本発明は、光学部材の表面に付着した異物を除去する異物除去装置、及び、それを備えたデジタル一眼レフカメラ等の撮像装置に関する。
【背景技術】
【０００２】
カメラの撮影レンズの焦点面近傍に塵埃等の異物が存在すると、その異物の影が固体撮像素子に写り込んでしまうという問題がある。このような異物は、レンズ交換時に塵埃が外部から侵入したり、カメラ内部でのシャッタやミラーの動作に伴い、その構造部材である樹脂等の微細な磨耗紛が発生したりすることが原因と考えられている。
【０００３】
このような原因で発生した異物が、固体撮像素子の保護用のカバーガラスとカバーガラスの前面に配設されている赤外カットフィルタや光学ローパスフィルタ等の光学フィルタとの間に入り込んでしまった場合には、その異物を除去するためにカメラを分解しなければならなかった。このため、固体撮像素子のカバーガラスと光学フィルタとの間に異物が入り込まないように密閉構造にすることは極めて有効なものであった。
【０００４】
また、光学フィルタの固体撮像素子と対向していない面に異物が付着した場合、例えば植毛部材等の異物捕獲部が光学フィルタに接触しながら移動（走査）することにより異物を捕獲除去することが有効である（例えば特許文献１を参照）。
【０００５】
しかしながら、異物捕獲部が光学フィルタに接触しながら走査する構成とした場合、異物を光学フィルタの表面で何度も繰り返し引きずりながら走査することになる。そのため、特に捕獲した異物が硬いものである場合には、光学フィルタの表面を傷つけてしまうという問題が依然として残っている。
【０００６】
【特許文献１】特開２００５−５９７２号公報
【発明の開示】
【発明が解決しようとする課題】
【０００７】
しかしながら、特許文献１に記載の発明では、塵埃の除去は可能ではあるものの、大きな塵埃や硬い塵埃の付着時に、その塵埃を引きずり撮像素子受光面に傷をつけるおそれがある。
【０００８】
本発明は上記問題点に鑑みてなされたものであり、光学素子の表面に付着した異物を該光学素子の表面を傷つけないように除去できるようにすると共に、その除去した異物を際付着させないことを目的とする。
【課題を解決するための手段】
【０００９】
本発明の異物除去装置は、光学部材の表面に接触しながら移動することにより前記光学部材の表面に付着した異物を捕獲除去する捕獲部材と、前記捕獲部材が所定の位置まで移動したときに前記捕獲部材が捕獲した異物を払い落とす払拭部材と、前記払拭部材が位置する空間と前記光学部材の前面の空間とを遮断することのできる遮断機構とを備えたことを特徴とする。
本発明の撮像装置は、被写体像を光電変換する撮像素子と、前記撮像素子の前方に配置された光学素子と、本発明の異物除去装置とを備えたことを特徴とする。
【発明の効果】
【００１０】
本発明によれば、払拭部材を設けて捕獲した異物を除去するようにしたので、一度捕獲した異物により光学素子の表面を傷つけないようにすることができる。また、払拭部材が位置する空間と光学部材の前面の空間とを遮断機構により遮断するようにしたので、捕獲部材から異物を払い落とす方向が光学部材のある方向であっても、その払い落とした異物が光学フィルタに再付着しないようにすることができる。
【発明を実施するための最良の形態】
【００１１】
以下、添付図面を参照して、本発明の好適な実施形態について説明する。
（第１の実施形態）
図１及び図２は、本実施形態に係るデジタル一眼レフカメラの外観図である。図１は、カメラを被写体側より見た正面側斜視図であって、撮影レンズユニットを外した状態を示す。図２は、カメラを撮影者側より見た背面側斜視図である。
【００１２】
図１に示すように、カメラ本体１には、撮影時に撮影者が安定して握り易いように被写体側に突出したグリップ部１ａが設けられている。
【００１３】
カメラ本体１のマウント部２には、不図示の撮影レンズユニットが着脱可能に固定される。マウント接点２１は、カメラ本体１と撮影レンズユニットとの間で制御信号、状態信号、データ信号等の通信を可能にするとともに、撮影レンズユニット側に電力を供給する。マウント接点２１は、電気通信のみならず、光通信、音声通信等が可能なように構成してもよい。マウント部２の横には、撮影レンズユニットを取り外す際に押し込むレンズロック解除ボタン４が配置されている。
【００１４】
カメラ本体１内には、撮影レンズを通過した撮影光束が導かれるミラーボックス５が設けられており、ミラーボックス５内にメインミラー（クイックリターンミラー）６が配設されている。メインミラー６は、撮影光束を不図示のペンタダハミラーの方向へ導くために撮影光軸に対して４５°の角度に保持される状態と、後述する撮像素子１０１の方向へ導くために撮影光束から退避した位置に保持される状態とを取り得る。
【００１５】
カメラ上部のグリップ１ａ側には、撮影開始の起動スイッチとしてのレリーズボタン７と、撮影時の動作モードに応じてシャッタスピードやレンズ絞り値を設定するためのメイン操作ダイヤル８と、撮影系の上面動作モード設定ボタン１０とが配置されている。これら操作部材の操作結果の一部は、ＬＣＤ表示パネル９に表示される。レリーズボタン７は、第１ストロークでスイッチＳＷ１がＯＮし、第２ストロークでスイッチＳＷ２がＯＮする構成となっている。また、上面動作モード設定ボタン１０は、レリーズボタン７の１回の押込みで連写になるか１コマのみの撮影となるかの設定や、セルフ撮影モードの設定等を行うためのものであり、ＬＣＤ表示パネル９にその設定状況が表示される。
【００１６】
カメラ上部の中央には、カメラ本体１に対してポップアップするストロボユニット１１と、フラッシュ取り付け用のシュー溝１２及びフラッシュ接点１３とが設けられている。
【００１７】
カメラ上部の右よりには、撮影モード設定ダイヤル１４が配置されている。
【００１８】
カメラのグリップ１ａに対して反対側の側面には、開閉可能な外部端子蓋１５が設けられている。外部端子蓋１５を開けた内部には、外部インタフェースとしてビデオ信号出力用ジャック１６及びＵＳＢ出力用コネクタ１７が納められている。
【００１９】
図２に示すように、カメラ背面の上方には、ファインダ接眼窓１８が設けられている。また、カメラ背面の中央付近には、画像表示可能なカラー液晶モニタ１９が設けられている。
【００２０】
カラー液晶モニタ１９の横には、サブ操作ダイヤル２０が配置されている。サブ操作ダイヤル２０は、メイン操作ダイヤル８の機能の補助的役割を担うものである。例えばカメラのＡＥモードでは、自動露出装置によって算出された適正露出値に対する露出補正量を設定するために使用される。シャッタスピード及びレンズ絞り値の各々を使用者の意志によって設定するマニュアルモードでは、メイン操作ダイヤル８でシャッタスピードを設定し、サブ操作ダイヤル２０でレンズ絞り値を設定するように使用される。また、このサブ操作ダイヤル２０は、カラー液晶モニタ１９に表示される撮影済み画像の表示を選択するためにも使用される。
【００２１】
さらに、カメラ背面には、カメラの動作を起動もしくは停止するためのメインスイッチ２２と、後述するクリーニングモードを動作させるためのクリーニング指示操作部材２３とが配置されている。
【００２２】
図３は、本実施形態に係るデジタル一眼レフカメラに内蔵される撮像ユニット１００、フォーカルプレーンシャッタ２００、異物除去装置３００の概略構成を説明するための側方断面図である。また、図４は、図３の領域Ａの拡大図である。
【００２３】
撮像ユニット１００は、以下のように構成される。被写体像を光電変換する固体撮像素子１０１の前方に光学ローパスフィルタ（以下「ＬＰＦ」と称する）１０２が配置される。なお、ＬＰＦ１０２は、通常複数の層から構成されており、図３等でもそのように表現しているが、異物が付着する面（清掃される面）は、フォーカルプレーンシャッタ２００に対向する表面である。固体撮像素子１０１はパッケージ部材１０４に収容され、保護部材（カバーガラス）１０５により保護される。また、ＬＰＦ１０２は枠状の保持部材１０３により保持される。ＬＰＦ１０２と保護部材１０５とはその間を密閉するためのシール部材１０６を介して固定される。固体撮像素子１０１の接続端子１０８は基板１０７に接続される。基板１０７は、カメラの動作を制御する制御回路を構成する電気素子が搭載されたものである。固体撮像素子１０１が収容されたパッケージ部材１０４は保持板１０９により保持される。
【００２４】
フォーカルプレーンシャッタ２００は、以下のように構成される。フォーカルプレーンシャッタ２００は、先幕２０１及び後幕２０２からなる。先幕２０１は複数のシャッタ羽根２０１ａ、２０１ｂ、２０１ｃ、２０１ｄにより構成され、後幕２０２は複数のシャッタ羽根により構成される。先幕２０１及び後幕２０２の駆動スペースは中間板２０３により分割されている。後幕２０２の押え板２０４には、撮像のためにその略中央部に開口が設けられている。また、先幕２０１の押え板として機能するカバー板２０５には、撮像のためにその略中央部に開口が設けられている。
【００２５】
異物除去装置３００は、以下のように構成される。植毛部材等の清掃部材３０１は、駆動機構（図４のモータ４０６等）により撮像ユニット１００とフォーカルプレーンシャッタ２００との間を、図３に仮想線で示す位置３０１ｂまで上下方向に移動可能となっている。清掃部材３０１は、ＬＰＦ１０２の表面に接触しながら移動することによりＬＰＦ１０２の表面に付着した異物を捕獲除去するものであり、本発明でいう捕獲部材に相当する。なお、図３に示す清掃部材３０１の位置は、クリーニングモード以外での退避位置である。
【００２６】
また、保持部材１０３には、清掃部材３０１を清掃する払拭部材３０２が配設されている。払拭部材３０２は、清掃部材３０１が所定の位置、すなわち払拭部材３０２の位置まで移動したときに、清掃部材３０１が捕獲した異物を払い落とすものである。
【００２７】
また、払拭部材３０２が位置する空間とＬＰＦ１０２の前面の空間とを遮断する異物受け部材３０３が設けられる。異物受け部材３０３は、不図示の駆動機構により図３の左右方向に移動可能となっている。異物受け部材３０３の払拭部材３０２に対向する面には、異物を捕集する捕集手段として粘着テープが貼着される。
【００２８】
図４は、図３の点線で囲んだ領域Ａの拡大図である。保持部材１０３に内蔵されたモータ３０４が回転することによりギア３０５を介してリードスクリュ３０６が回転し、異物受け部材３０３を図４の左右方向に移動させることできる。なお、これらモータ３０４及びギア３０５が相まって本発明でいう駆動手段を構成し、この駆動手段と異物受け部材３０３が相まって本発明でいう遮断機構を構成する。
【００２９】
また、図４において、３０７はクッション部材であり、異物受け部材３０３がカバー板２０５に衝突するときの衝撃を和らげる。３０８はスイッチ部材であり、清掃部材３０１に設けられた導電性部材３０９が接触することで導通する。なお、これらスイッチ部材３０８及び導電性部材３０９が相まって本発明でいう検出手段を構成する。
【００３０】
図５は、本実施形態に係るデジタル一眼レフカメラの制御構成を示す図である。撮像装置システム制御部４０１は、ＣＰＵ４０２、ＲＯＭ４０３、ＲＡＭ４０４等により構成され、カメラ全体の制御を行うと共に、各種の個別制御を行う。清掃部材制御部４０５は、撮像装置システム制御部４０１からの信号に基づいてモータ４０６を駆動し、清掃部材３０１を指定ステップ分移動させる。異物受け部材制御部４０７は、撮像装置システム制御部４０１からの信号に基づいてモータ３０４を駆動し、異物受け部材３０３を移動させる。
【００３１】
また、撮像装置システム制御部４０１にはスイッチ部材３０８に接続しており、清掃部材３０１がスイッチ部材３０８の位置を通過した検出信号を受ける。撮像装置システム制御部４０１のカウンタ４０８は、清掃部材３０１が駆動した回数をカウントし、カウンタ４０８のカウントが奇数か偶数かによって清掃部材３０１の移動方向を決定する。
【００３２】
以下、図６〜図８を参照して、本実施形態に係るデジタル一眼レフカメラの処理動作を説明する。図６は、本実施形態に係るデジタル一眼レフカメラのクリーニングモード時の処理動作を示すフローチャートである。図７Ａ〜図７Ｇは、図４の拡大図部分のクリーニングモード時の動作を示す図である。図８Ａ、図８Ｂは、図４の拡大図部分を上から見た図である。なお、図７Ａ〜図７Ｇにおいて、ａは異物である。また、図８Ａ、図８Ｂにおいて、３１０は清掃部材３０１をＬＰＦ１０２面と平行に移動するためのガイドバーである。３１１は清掃部材３０１を移動するためにモータ４０６によって回転するリードスクリュである。３１２は異物受け部材３０３の移動をガイドするためのガイドバーである。
【００３３】
ステップＳ１０１で、撮像装置システム制御部４０１はクリーニング指示操作部材２３の操作等によりクリーニングモードに移行したか否かを判定し、クリーニングモードであれば、ステップＳ１０２へと進む。
【００３４】
ステップＳ１０２で、撮像装置システム制御部４０１は清掃部材制御部４０５に信号を送り、信号を受けた清掃部材制御部４０５がモータ４０６を駆動する。これにより、清掃部材３０１がＬＰＦ１０２の表面に接触しながら図７Ａの上方向に移動する。清掃部材３０１がＬＰＦ１０２を通過し終えると、図７Ｂに示すように、ＬＰＦ１０２の表面に付着していた異物Ａは清掃部材３０１に捕獲除去される。
【００３５】
ステップＳ１０３で、撮像装置システム制御部４０１は導電性部材３０９がスイッチ部材３０８に接触したか否かを判定する。ここで、導電性部材３０９は図７Ｂの左右方向に位置がずれていたとしても、十分にスイッチ部材３０８に接触するだけの長さと弾性を有するものとする。図７Ｃに示すように、導電性部材３０９がスイッチ部材３０８に接触すると、撮像装置システム制御部４０１に信号が送られて、ステップＳ１０４へと進む。
【００３６】
ステップＳ１０４で、撮像装置システム制御部４０１は異物受け部材制御部４０７に信号を送り、信号を受けた異物受け部材制御部４０７がモータ３０４を駆動する。これにより、異物受け部材３０３が図７Ｃの左方向に指定ステップ分だけ移動して、ステップＳ１０５へと進む。
【００３７】
ステップＳ１０５で、図７Ｄに示すように、指定ステップ分だけ移動した異物受け部材３０３がクッション部材３０７に接触し、移動を完了する。このとき、異物受け部材３０３のクッション部材３０７までの移動は、清掃部材３０１が払拭部材３０２に接触するまでの間に完了している。そして、異物受け部材３０３が図７Ｄに示す位置にあることにより、払拭部材３０２が位置する空間とＬＰＦ１０２の前面（レンズ対向面）との空間が完全に遮断されることになる。すなわち、異物受け部材３０３は、図８Ａに示す退避位置から図８Ｂに示す遮断位置へと移動している。
【００３８】
そして、図７Ｅに示すように、清掃部材３０１が更に上方向に移動して払拭部材３０２に接触することにより、清掃部材３０１が捕獲した異物ａは払い落とされる。払い落とされた異物ａは、図７Ｅの下方向に飛散するが、異物受け部材３０３があるので、ＬＰＦ１０２のレンズ対向面には向かわず、異物受け部材３０３により捕集される。その後、清掃部材３０１の上方向への移動が指定ステップ分完了すると、ステップＳ１０６へと進む。
【００３９】
ステップＳ１０６で、撮像装置システム制御部４０１は清掃部材制御部４０５を介して清掃部材３０１を停止するとともに、カウンタ４０８のカウントを１増加し、ステップＳ１０７へと進む。
【００４０】
ステップＳ１０７で、撮像装置システム制御部４０１が清掃部材制御部４０５に信号を送り、信号を受けた清掃部材制御部４０５がモータ４０６をステップＳ１０２の場合と逆回転に駆動する。これにより、清掃部材３０１がＬＰＦ１０２の表面と平行に図７Ｅの下方向に走行する。
【００４１】
ステップＳ１０８で、撮像装置システム制御部４０１は導電性部材３０９がスイッチ部材３０８に接触したか否かを判定する。図７Ｆに示すように、導電性部材３０９がスイッチ部材３０８に接触すると、撮像装置システム制御部４０１に信号が送られて、ステップＳ１０９へと進む。
【００４２】
ステップＳ１０９で、撮像装置システム制御部４０１が異物受け部材制御部４０７に信号を送り、信号を受けた異物受け部材制御部４０７がモータ３０４をステップＳ１０４の場合と逆回転に駆動させる。これにより、異物受け部材３０３が図７Ｆの右方向に指定ステップ分だけ移動して、ステップＳ１１０へと進む。このとき、異物受け部材３０３が指定ステップ分の駆動を完了するタイミングは、図７Ｆの下方向に移動している清掃部材３０１に衝突しないように設定されている。
【００４３】
ステップＳ１１０で、撮像装置システム制御部４０１は、異物受け部材３０３が図７Ｇに示す退避位置まで退避したら、異物受け部材制御部４０７を介して異物受け部材３０３を停止し、ステップＳ１１１へと進む。
【００４４】
ステップＳ１１１で、撮像装置システム制御部４０１は清掃部材制御部４０５を介して清掃部材３０１が指定ステップ分の移動を完了し、清掃部材３０１を退避位置へと移動する。清掃部材３０１の退避位置への移動が完了すると、カウンタ４０８のカウントを１増加し、停止する。以上で一連のシーケンスは完了する。
【００４５】
以上述べたように、異物除去装置３００の清掃部材３０１が捕獲除去した異物ａを払拭部材３０２により払い落とすとともに、払い落とした異物ａを異物受け部材３０３により捕集するので、異物ａがＬＰＦ１０２に再付着するのを防ぐことができる。
【００４６】
（第２の実施形態）
次に、図９〜図１３を参照して、第２の実施形態を説明する。以下では、第１の実施形態と同一の構成要素には同一の符号を付し、その詳細な説明は省略する。
【００４７】
図９は、第１の実施形態で説明した図４に対応する拡大図である。第２の実施形態の異物受け部材３１３は、払拭部材３０２が位置する空間とＬＰＦ１０２の前面の空間とを遮断するとともに、清掃部材３０１が通過する際に当接して開く回転扉状となっている。具体的に、異物受け部材３１３は、磁性材料により形成された基材３１４と、回転軸３１５と、粘着材からなる捕集部３１６とにより構成されている。基材３１４は２枚の板を直角につなげた形状、すなわち側面視においてＬ字形状を呈し、その角部に回転軸３１５が設けられる。
【００４８】
また、保持部材１０３には、異物受け部材３１３の回転軸３１５の上下側に磁石３１７、３１８が設けられる。
【００４９】
図１０は、本実施形態に係るデジタル一眼レフカメラの制御構成を示す図である。本実施形態では、清掃部材３０１が異物受け部材３１３に当接して開くので、第１の実施形態のように、異物受け部材制御部４０７及びモータ３、スイッチ部材３０８及び導電性部材３０９は設置されていない。
【００５０】
以下、図１１Ａ〜図１１Ｆ、図１２を参照して、本実施形態に係るデジタル一眼レフカメラの処理動作を説明する。図１１Ａ〜図１１Ｆは、図９の拡大図部分のクリーニングモード時の動作を示す図である。図１２Ａ、図１２Ｂは、清掃部材３０１と異物受け部材３１３との関係を説明するための斜視図である。
【００５１】
第１の実施形態と同様に、クリーニングモードに移行した場合、撮像装置システム制御部４０１は清掃部材制御部４０５に信号を送り、信号を受けた清掃部材制御部４０５がモータ４０６を駆動する。これにより、清掃部材３０１がＬＰＦ１０２の表面に接触しながら図１１Ａの上方向に移動する。清掃部材３０１がＬＰＦ１０２を通過し終えると、図１１Ｂに示すように、ＬＰＦ１０２の表面に付着していた異物ａは清掃部材３０１に捕獲除去される。
【００５２】
清掃部材３０１が図１１Ｂに示す位置に移動すると、清掃部材３０１が異物受け部材３１３に当接し、清掃部材３０１に押されて異物受け部材３１３が回転軸３１５を中心に図１１Ｂの時計回り方向に回転する。ここで、図１２Ａに示すように、捕集部３１６には非粘着部３１６ａが形成されており、清掃部材３０１に設けられた突起部３０１ａが非粘着部３１６ａに当接するようになっている。これにより、捕集部３１６の粘着力が清掃部材３０１の走査を阻害することがない。その後、図１１Ｃに示すように、異物受け部材３１３が保持部材１０３に当接し、磁石３１７の磁力により静止する。
【００５３】
そして、清掃部材３０１が更に上方向に移動して払拭部材３０２に接触することにより、清掃部材３０１に捕獲した異物ａは払い落とされる。払い落とされた異物ａは下方向に飛散するが、異物受け部材３１３があるので、ＬＰＦ１０２のレンズ対向面には向かわず、図１１Ｄに示すように、異物受け部材３１３により捕集される。ところで、異物受け部材３１３を回転可能にするため、カバー板２０５と異物受け部材３１３との間には隙間が存在する。そこで、カバー板２０５に突起部２１６を設け、隙間に侵入してきた異物ａがＬＰＦ１０２には向かわないようにしておく。
【００５４】
清掃部材３０１の上方向への移動が指定ステップ分完了すると、撮像装置システム制御部４０１は清掃部材制御部４０５を介して清掃部材３０１を停止する。続いて、撮像装置システム制御部４０１が清掃部材制御部４０５に信号を送り、清掃部材制御部４０５がモータ４０６を逆回転に駆動する。これにより、清掃部材３０１がＬＰＦ１０２の表面と平衡に図１１Ｄの下方向に走行する。
【００５５】
清掃部材３０１が図１１Ｅに示す位置に移動すると、清掃部材３０１が異物受け部材３１３に当接し、清掃部材３０１に押されて異物受け部材３１３が回転軸３１５を中心に図１１Ｅの反時計回り方向に回転する。ここで、図１２Ｂに示すように、捕集部３１６には非粘着部３１６ａが形成されており、清掃部材３０１に設けられた突起部３０１ａが非粘着部３１６ａに当接するようになっている。これにより、捕集部３１６の粘着力が清掃部材３０１の走査を阻害することがない。その後、図１１Ｆに示すように、異物受け部材３１３が保持部材１０３に当接し、磁石３１８の磁力により静止する。
【００５６】
清掃部材３０１の下方向への移動が指定ステップ分完了すると、撮像装置システム制御部４０１は清掃部材制御部４０５を介して清掃部材３０１を停止する。以上で一連のシーケンスは完了する。
【００５７】
以上述べたように、異物除去装置３００の清掃部材３０１が捕獲除去した異物ａを払拭部材３０２により払い落とすとともに、払い落とした異物ａを異物受け部材３１３により捕集するので、異物ａがＬＰＦ１０２に再付着するのを防ぐことができる。しかも、清掃部材３０１が異物受け部材３１３を当接して動かすようにしたので、第１の実施形態の異物受け部材制御部４０７及びモータ３、スイッチ部材３０８及び導電性部材３０９は不要であり、より簡素な構成とすることができる。
【００５８】
なお、本実施形態では、捕集部３１６を粘着材としたが、例えば捕集部をエレクトレット部材により形成し、静電気力によって異物ａを捕集する構成としてもよい。
【００５９】
また、本実施形態では、異物受け部材３１３を静止させるために、磁石３１７、３１８を保持部材１０３に設けたが、保持部材１０３以外の箇所に設けてもよい。また、磁石ではなく、例えば異物受け部材３１３が爪に引っ掛かるようにして静止させるようにしてもよい。
【００６０】
以上、本発明を実施形態とともに説明したが、本発明はこれらの実施形態にのみ限定されるものではなく、本発明の範囲内で変更等が可能である。例えば上記実施形態では、本発明でいう光学部材としてＬＰＦを例にして説明したが、他の光学フィルタ（赤外線カットフィルタ等）や撮像素子のカバーガラスであってもよい。
【図面の簡単な説明】
【００６１】
【図１】デジタル一眼レフカメラの外観図である。
【図２】デジタル一眼レフカメラの外観図である。
【図３】第１の実施形態における撮像ユニットとフォーカルプレーンシャッタと異物除去装置の概略構成を説明するための側方断面図である。
【図４】第１の実施形態における主要部の拡大図である。
【図５】第１の実施形態に係るデジタル一眼レフカメラの制御構成を示す図である。
【図６】第１の実施形態におけるクリーニングモード時の動作を示すフローチャートである。
【図７Ａ】第１の実施形態におけるクリーニングモード時の動作を示す図である。
【図７Ｂ】第１の実施形態におけるクリーニングモード時の動作を示す図である。
【図７Ｃ】第１の実施形態におけるクリーニングモード時の動作を示す図である。
【図７Ｄ】第１の実施形態におけるクリーニングモード時の動作を示す図である。
【図７Ｅ】第１の実施形態におけるクリーニングモード時の動作を示す図である。
【図７Ｆ】第１の実施形態におけるクリーニングモード時の動作を示す図である。
【図７Ｇ】第１の実施形態におけるクリーニングモード時の動作を示す図である。
【図８Ａ】図４の拡大図部分を上から見た図であり、異物受け部材が退避位置にある状態を示す図である。
【図８Ｂ】図４の拡大図部分を上から見た図であり、異物受け部材が遮断位置にある状態を示す図である。
【図９】第２の実施形態における主要部の拡大図である。
【図１０】第２の実施形態に係るデジタル一眼レフカメラの制御構成を示す図である。
【図１１Ａ】第２の実施形態におけるクリーニングモード時の動作を示す図である。
【図１１Ｂ】第２の実施形態におけるクリーニングモード時の動作を示す図である。
【図１１Ｃ】第２の実施形態におけるクリーニングモード時の動作を示す図である。
【図１１Ｄ】第２の実施形態におけるクリーニングモード時の動作を示す図である。
【図１１Ｅ】第２の実施形態におけるクリーニングモード時の動作を示す図である。
【図１１Ｆ】第２の実施形態におけるクリーニングモード時の動作を示す図である。
【図１２Ａ】第２の実施形態における清掃部材と異物受け部材との関係を説明するための斜視図であり、清掃部材の上昇時の状態を示す図である。
【図１２Ｂ】第２の実施形態における清掃部材と異物受け部材との関係を説明するための斜視図であり、清掃部材の下降時の状態を示す図である。
【符号の説明】
【００６２】
１００  撮像ユニット
１０１  固体撮像素子
１０２  光学ローパスフィルタ
１０３  保持部材
１０４  パッケージ部材
１０５  保護部材（カバーガラス）
２００  フォーカルプレーンシャッタ
３００  異物除去装置
３０１  清掃部材
３０２  払拭部材
３０３  異物受け部材
３１３  異物受け部材
【図１】
2009162949.tif 000003
【図２】
2009162949.tif 000004
【図３】
2009162949.tif 000005
【図４】
2009162949.tif 000006
【図５】
2009162949.tif 000007
【図６】
2009162949.tif 000008
【図７Ａ】
2009162949.tif 000009
【図７Ｂ】
2009162949.tif 000010
【図７Ｃ】
2009162949.tif 000011
【図７Ｄ】
2009162949.tif 000012
【図７Ｅ】
2009162949.tif 000013
【図７Ｆ】
2009162949.tif 000014
【図７Ｇ】
2009162949.tif 000015
【図８Ａ】
2009162949.tif 000016
【図８Ｂ】
2009162949.tif 000017
【図９】
2009162949.tif 000018
【図１０】
2009162949.tif 000019
【図１１Ａ】
2009162949.tif 000020
【図１１Ｂ】
2009162949.tif 000021
【図１１Ｃ】
2009162949.tif 000022
【図１１Ｄ】
2009162949.tif 000023
【図１１Ｅ】
2009162949.tif 000024
【図１１Ｆ】
2009162949.tif 000025
【図１２Ａ】
2009162949.tif 000026
【図１２Ｂ】
2009162949.tif 000027